(57)【要約】【課題】遊技者の視線が画像表示装置の視野角内に収まるように所定角度だけ傾斜させることで、遊技機で実行される遊技の興趣性を向上させる。【解決手段】複数の識別情報を有する複数個のリールＤ１,Ｄ２,Ｄ３と、複数個のリールの識別情報を表示するための表示領域（リール表示部Ｐ１,Ｐ２,Ｐ３）が設けられた装飾パネルと、装飾パネルの下部位置に設けられ、表示領域よりも大きく遊技に関する情報を画像表示する画像表示装置とを備え、画像表示装置は、装飾パネルに対して所定角度θだけ傾斜して配設されている。【選択図】    図１
2005046375.tif 000002
【特許請求の範囲】
【請求項１】
複数の識別情報を有する複数個のリールと、
前記複数個のリールの識別情報を表示するための表示領域が設けられた装飾パネルと、
前記装飾パネルの下部位置に設けられ、前記表示領域よりも大きく遊技に関する情報を画像表示する画像表示装置とを備え、
前記画像表示装置は、前記装飾パネルに対して所定角度だけ傾斜して配設されていることを特徴とする遊技機。
【請求項２】
前記画像表示装置は、その上部位置が前記装飾パネルの下端部に隣接して設けられていると共に、該画像表示装置の下部位置が該装飾パネルよりも前記遊技機の前面側に位置するように、傾斜して配設されていることを特徴とする請求項１に記載の遊技機。
【請求項３】
前記画像表示装置は、その視野角内に遊技者の視線が収まるような角度に傾斜して配設されていることを特徴とする請求項１又は２に記載の遊技機。
【請求項４】
前記画像表示装置は、少なくとも、その横幅が前記複数個のリールの表示領域の全幅よりも大きいことを特徴とする請求項１〜３のいずれか１に記載の遊技機。
【請求項５】
前記装飾パネルと前記画像表示装置との前面を覆うように、該装飾パネル及び該画像表示装置の前面領域に配置された透明パネルを更に備えていることを特徴とする請求項１〜４のいずれか１に記載の遊技機。
【請求項６】
前記装飾パネル及び前記画像表示装置を同等の明るさで照明するための照明手段を更に備えていることを特徴とする請求項１〜５のいずれか１に記載の遊技機。
【発明の詳細な説明】
【技術分野】
【０００１】
本発明は、大画面（例えば、１７インチワイド）の画像表示装置を用いて画像を演出することで、遊技機（例えば、スロットマシン）で実行される遊技の興趣性を向上させることが可能な遊技機に関し、特に、画像表示装置を装飾パネルに対して所定角度だけ傾斜して配設した遊技機に関する。
【背景技術】
【０００２】
この種の遊技機としては、例えば特許文献１に示すように、遊技機筐体の前面パネルの上部側に複数個のリールの識別情報を表示するための表示領域（複数個のリール表示窓）が、その下部側に画像表示装置（液晶表示装置）がそれぞれ設けられたスロットマシンが知られている。このようなスロットマシンでは、スタートレバーを操作してリールを回転させた後、リールが停止した際に入賞／非入賞の判定が行われ、その判定結果に基づいて、画像表示装置には、その遊技に関する情報（例えば、内部当選役の報知、遊技者が「大当り」や「小当り」、「ハズレ」の発生を予想することができるような画像）が表示される。
【０００３】
しかしながら、上述したような従来の遊技機において、画像表示装置（主に、液晶表示装置）で画像を表示する画面（以下、表示画面という）の大きさは、複数個のリールの表示領域よりも小さいため、表示画面に表示される画像がリールの識別情報（例えば、リール図柄など）よりも目立たなくなり、遊技者にとって見辛いものとなっている。
この場合、たとえ趣向を凝らした演出を行っても、遊技者の関心を画像に充分に引き付けることができないばかりか、遊技者にとっては、見辛い画像を凝視しなければ演出を理解できないため、遊技に集中することができない。この結果、遊技機（例えば、スロットマシン）で実行される遊技の興趣性を向上させることが困難になってしまう。
また、従来の遊技機では、画像表示装置（主に、液晶表示装置）の視野角と、遊技者の視線との関係が考慮されていなかったため、遊技者の視線が画像表示装置の視野角から外れた場合には、表示画面に表示された画像が見え難くなり、遊技機（例えば、スロットマシン）で実行される遊技の興趣が損なわれてしまう。この場合、遊技者は、遊技中において画像表示装置の視野角内に自身の視線を収めるような姿勢を強いられるため、遊技に集中することができない。
更に、従来の遊技機において、画像表示装置に表示される画像と、装飾パネルに印刷された各種の装飾絵柄との間で、色合いや色調、色の濃淡や明るさの度合い等について視覚的な差異があり、それが別体感や違和感となって表れる結果、遊技の興趣性が損なわれてしまう。
【特許文献１】特開２００２−０５２１２０号公報
【発明の開示】
【発明が解決しようとする課題】
【０００４】
本発明は、このような問題を解決するためになされており、その目的は、遊技者の視線が画像表示装置の視野角内に収まるように所定角度だけ傾斜させることで、遊技機で実行される遊技の興趣性を向上させることが可能な遊技機を提供することにある。
【課題を解決するための手段】
【０００５】
このような目的を達成するために、請求項１の発明は、複数の識別情報を有する複数個のリールＤ１,Ｄ２,Ｄ３と、前記複数個のリールの識別情報を表示するための表示領域（リール表示部Ｐ１,Ｐ２,Ｐ３）が設けられた装飾パネルと、前記装飾パネルの下部位置に設けられ、前記表示領域よりも大きく遊技に関する情報を画像表示する画像表示装置とを備え、前記画像表示装置は、前記装飾パネルに対して所定角度θだけ傾斜して配設されていることを特徴とする。
この発明によれば、画像表示装置を所定角度θだけ傾斜させたことで、遊技中における遊技者の視線を画像表示装置の視野角内に収めることができる。この場合、遊技者にとって見易い鮮明な画像を表示画面に常時表示させることが可能となり、その結果、遊技機（例えば、スロットマシン）で実行される遊技の興趣性を向上させることができる。また、大きな画面で画像を表示することで、表示画面に表示される画像をリールの識別情報よりも目立たたせることができ、遊技者にとって見易いものとすることができる。この場合、趣向を凝らした演出画像について遊技者の関心を充分に引き付けることができると共に、遊技者にとっては、演出画像を楽な姿勢で見ながら遊技に集中することが可能となる。この結果、遊技機で実行される遊技の興趣性を向上させることができる。
請求項２の発明において、前記画像表示装置は、その上部位置が前記装飾パネルの下端部に隣接して設けられていると共に、該画像表示装置の下部位置が該装飾パネルよりも前記遊技機の前面側に位置するように、傾斜して配設されていることを特徴とする。
この発明によれば、所定角度だけ傾斜させた画像表示装置を装飾パネルの下部位置に設けたことで、表示画面に表示される画像をリールの識別情報よりも目立たたせることができると同時に、遊技者にとって見易いものとすることができる。つまり、画像表示装置の表示画面のサイズを大きくするためには、画像表示装置を大型化する必要があるが、そうすると、遊技機も大型化（例えば、遊技機の高さを大きく）せざるを得ない。しかし、画像表示装置を傾斜させれば、遊技機の大きさはそのままにして（例えば、高さを変えること無く）画像表示装置（表示画面）のサイズを大きくすることができる。これにより、遊技者にとって見易い迫力ある画像を表示画面に表示させることが可能となる。
請求項３の発明において、前記画像表示装置は、その視野角内に遊技者の視線が収まるような角度に傾斜して配設されていることを特徴とする。
この発明によれば、遊技中における遊技者の視線を視野角内に収めることができる。つまり、従来のように遊技者が自身の視線を画像表示装置の視野角内に収めるような無理な姿勢をとる必要は無く、遊技者は遊技中において楽な姿勢で自身の視線を画像表示装置の視野角内に常時収めることができる。このため、遊技者にとって見易い鮮明な画像を表示画面に常時表示させることが可能となり、その結果、遊技機（例えば、スロットマシン）で実行される遊技の興趣性を向上させることができる。
請求項４の発明において、前記画像表示装置は、少なくとも、その横幅が前記複数個のリールの表示領域の全幅よりも大きいことを特徴とする。
この発明によれば、ワイドな大画面で画像を表示することができるため、表示画面に表示される画像をリールの識別情報よりも目立たたせることができ、遊技者にとって見易く且つ遊技者の関心を充分に引き付けることができ、また、各リールに対応した演出を行うことができ、遊技の興趣性を更に向上させることができる。
請求項５の発明において、前記装飾パネルと前記画像表示装置との前面を覆うように、該装飾パネル及び該画像表示装置の前面領域に配置された透明パネル（保護パネル３６）を更に備えていることを特徴とする。
この発明によれば、透明パネルで装飾パネル及び画像表示装置の前面を覆うことによって、装飾パネル及び画像表示装置を保護することができる。
請求項６の発明において、前記装飾パネル及び前記画像表示装置を同等の明るさで照明するための照明手段を更に備えていることを特徴とする。
この発明によれば、装飾パネル及び画像表示装置を同等の明るさで照明することで、画像表示装置で表示する画像と装飾パネルの装飾画像との一体感を高めて且つ違和感無く表示させることができる。
【発明の効果】
【０００６】
本発明によれば、遊技者の視線が画像表示装置の視野角内に収まるように所定角度だけ傾斜させることで、遊技機で実行される遊技の興趣性を向上させることが可能な遊技機を実現することができる。
【発明を実施するための最良の形態】
【０００７】
以下、本発明の第１の実施の形態に係る遊技機について、添付図面を参照して説明する。なお、以下の説明では、遊技機の一例としてパチスロ（スロットマシン）を想定する。
図１に示すように、本実施の形態の遊技機（パチスロ）２は、複数の識別情報がそれぞれに付与された複数個のリール（例えば、左リールＤ１、中リールＤ２、右リールＤ３）を備えており、前側扉４の前面パネル６は、遊技機２における遊技に関する情報を画像により表示する例えば１７インチワイドの画像表示装置と、この画像表示装置の上下方向に隣接して設けられた装飾パネルとで形成されている。この場合、画像表示装置は、装飾パネルに対して所定角度θだけ傾斜して配設されている。また、装飾パネルには、各種の装飾画像が形成されていると共に、リールの識別情報（例えば図柄）を表示するための表示領域が設けられている。そして、各種の装飾画像を含む装飾パネル全体が、後述する照明手段によって画像表示装置と同等の明るさで照明されるようになっている。
【０００８】
図１において、前面パネル６に対する画像表示装置及び装飾パネルの配置が明らかとなるように、画像表示装置が配置される領域を参照符号Ｆ１、装飾パネルが配置される領域を参照符号Ｆ２で示す。この場合、領域Ｆ１と領域Ｆ２との境界がＬ−Ｌ線で示されていると共に、画像表示装置の配置領域Ｆ１には、他の領域Ｆ２との区別が視覚的に分かるようにハッチングが施されている。なお、このハッチングは断面を示すものでは無い。
Ｌ−Ｌ線で領域Ｆ１と領域Ｆ２とに分ける方法としては、上下２分割や左右２分割が考えられるが、ここでは、その一例として、Ｌ−Ｌ線を境に上下２分割する場合を想定する。なお、図１では、Ｌ−Ｌ線に対して上部側に領域Ｆ２、下部側に領域Ｆ１を規定しているが、これとは逆に、上部側に領域Ｆ１、下部側に領域Ｆ２を規定しても良い。
【０００９】
このような遊技機（パチスロ）２において、メダル投入口８に遊技メダル（図示しない）を投入しＢＥＴボタン１０を押した後、スタートレバー１２を操作すると、所定のタイミングで１個の乱数がサンプリングされ、その乱数に基づいて内部当選役が決定される。この間、画像表示装置において所定のゲームプログラムに従った画像（例えば内部当選役に対する画像等）が表示されると共に、装飾パネルのリール表示部Ｐ１,Ｐ２,Ｐ３に表示されている複数個のリール（例えば、左リールＤ１、中リールＤ２、右リールＤ３）が回転し始める。そして、所望のタイミングで３個のストップボタンＢ１,Ｂ２,Ｂ３をそれぞれ押すと、それに同期して複数個のリールＤ１,Ｄ２,Ｄ３の停止制御が行われる。このときリール表示部Ｐ１,Ｐ２,Ｐ３に表示された図柄（識別情報）の組み合わせによって、「大当り」や「小当り」又は「ハズレ」となる。ここで、「大当り」や「小当り」となったときは、スピーカ１４から当り状態を知らせるファンファーレが鳴ると共にランプ（図示しない）が点灯する。このとき、領域Ｆ１の画像表示装置には、本発明のゲームプログラムに従った当り演出画像が表示され、それと共に、当り内容に応じた数の遊技メダルがメダル払出口１６からメダル受部１８に払い出される。
【００１０】
本実施の形態において、領域Ｆ２に配置された装飾パネルは、リールＤ１,Ｄ２,Ｄ３に付与された複数の識別情報を表示する表示領域即ちリール表示部Ｐ１,Ｐ２,Ｐ３と、これらリール表示部Ｐ１,Ｐ２,Ｐ３の周囲に装飾画像（絵柄）が施された装飾部Ｍとを有している。このような装飾パネルは、透明な合成樹脂で形成されており、その全体が装飾画像用面発光装置（照明手段）で照明されるようになっている。
また、領域Ｆ１に配置された画像表示装置は、遊技機２における遊技に関する情報を画像により表示する液晶表示装置であって、少なくとも、後述するような１７インチワイドの液晶パネル３４と、この液晶パネル３４の全面を照明するための液晶用面発光装置（照明手段）とを備えている。
【００１１】
本実施の形態において、画像表示装置は、装飾パネルの下端部に隣接して設けられていると共に、該装飾パネルから遊技機２の前面側（遊技者方向側）に向って連続的に所定角度θだけ傾斜して配設されている。具体的には、画像表示装置（液晶表示装置）は、その視野角内に遊技者の視線が収まるような角度θに傾斜して配設されている。
ここで、画像表示装置の傾斜角度θは、例えば垂直面Ｈ（水平線に直交する面）に対する傾き角度として規定されており、図１に示すように、この垂直面Ｈに沿って装飾パネルが配置された場合には、その装飾パネルに対する傾斜角度として規定することが可能である。
また、視野角は、画像表示装置（液晶パネル３４）に表示された画像を視認できる範囲をあらわしており、画像表示装置の種類や用途などに応じて、その視野角（例えば、上下左右方向に９０度の視野角）が設定されている。この場合、画像表示装置の傾斜角度θは、遊技機２に用いる画像表示装置の視野角を考慮して適宜最適な角度に調整及び変更されるため、ここでは具体的な数値限定はしない。
また、画像表示装置は、少なくとも、その横幅（液晶パネル３４の横幅）がリールＤ１,Ｄ２,Ｄ３の表示領域即ちリール表示部Ｐ１,Ｐ２,Ｐ３の全幅よりも大きく設定されている。この場合、画像表示装置（液晶パネル３４）の横幅は、リール表示部Ｐ１,Ｐ２,Ｐ３の全幅に応じて任意に設定されるため、ここでは具体的な数値限定はしない。
【００１２】
装飾画像用及び液晶用面発光装置は、少なくとも、光源と、光源からの光を導入して面状に発光させる導光板と、導光板の一方側面に配置された反射板とを備えており、導光板から面状に発光した光は、反射板で導光板の他方側面に向けて反射（装飾画像に向けて反射、液晶パネル３４に向けて反射）される。
導光板は、透明な合成樹脂（例えばアクリル）で形成されており、その表面（反射板に対向した面）には、図示しない偏向パターン（複数の反射ドット）が施されている。なお、偏向パターンを導光板に施す方法としては、例えばチタン白(TiO２)や沈降性硫酸バリウム(BaSO４)などの光学的に吸収が無く反射率の高い顔料とアクリル系バインダを練り合わせた反射インクを例えばスクリーン印刷法によって塗布すれば良い。
このような偏向パターンが施された導光板によれば、光源から導光板の端面に導入された光は、導光板の中を全反射しながら進んでいくうちに、偏向パターン（複数の反射ドット）に当たって向きを変え、全反射角より小さくなった成分の光が導光板から面状に発光する。このときの発光方向は、導光板の一方側面に配置された反射板に向う方向と、逆に、導光板の他方側面に向う方向（装飾画像に向う方向、液晶パネル３４に向う方向）となる。
【００１３】
図２に示すように、本実施の形態において、面発光装置の導光板は、装飾パネル用導光板２４ａと液晶表示装置用導光板２４ｂとに分割されており、光源は、装飾パネル用導光板２４ａの左右両側にそれぞれ配置された装飾パネル用蛍光管２６ａと、液晶表示装置用導光板２４ｂの左右両側にそれぞれ配置された液晶表示装置用蛍光管２６ｂとから構成されている。
また、反射板も、装飾パネル用反射板２８ａと液晶表示装置用反射板２８ｂとに分割されており、装飾パネル用反射板２８ａには、リール表示部Ｐ１,Ｐ２,Ｐ３に対応する領域に切欠部Ｑ１,Ｑ２,Ｑ３が形成されている。なお、反射板は、ポリエチレンテレフタレート(PET)樹脂やポリカーボネートなどの樹脂を微細発砲させて形成することができる。
【００１４】
装飾パネル用導光板２４ａの他方側面には、各種の装飾画像（絵柄）が施されており、その一部にリール表示部Ｐ１,Ｐ２,Ｐ３を構成するための透明領域（装飾絵柄が施されていない領域）Ｒ１,Ｒ２,Ｒ３が形成されている。この場合、装飾絵柄を施す方法としては、装飾パネル用導光板の他方側面に装飾絵柄を直接印刷する方法や、装飾絵柄が印刷された装飾シート（薄膜状フィルムを含む）を装飾パネル用導光板の他方側面に貼着する方法などを適用すれば良い。本実施の形態では、その一例として、装飾絵柄が印刷された装飾シート３０を適用する。
また、液晶表示装置用導光板２４ｂの他方側面には、白色で薄いプラスチック板状の拡散シート３２が設けられており、液晶表示装置用導光板２４ｂから面状に発光した光（液晶表示装置用反射板２８ｂから反射した光を含める）を拡散させて明るさを一様にして、後述する液晶パネル３４に向わせる。
【００１５】
装飾パネル用蛍光管２６ａ及び液晶表示装置用蛍光管２６ｂとしては、例えば熱陰極管や冷陰極管を適用することが可能であるが、冷陰極管は、電極にフィラメントが無いので構造が簡単で電極を小さくできることから、細径化に適している。この場合、冷陰極管を適用することによって装飾パネルや液晶表示装置の厚み寸法を薄肉化することが可能となり、遊技機のコンパクト化を図ることができる。従って、本実施の形態では、光源として冷陰極管を適用する。
なお、冷陰極管を駆動するためのインバーター回路は、副制御回路（図示しない）に構築することが可能であり、副制御回路は、主制御回路（図示しない）からの制御指令に基づいて、液晶表示装置を制御して遊技に関する情報（動画や静止画から成る演出画像）を表示する。
【００１６】
本実施の形態の液晶パネル３４は、複数の画素（図示しない）がマトリクス状に配置され、液晶パネル３４の大きさが１７インチワイドに設計されている。かかる液晶パネル３４は、液晶物質（図示しない）を２枚の薄いガラス板（図示しない）で挟み込んで形成されており、副制御回路で制御する場合、ガラス配線された電極に電荷を与えて液晶物質の向きを電流方向に変化させると、液晶パネル３４を透過する光の偏光方向を変化させることができ、これにより液晶パネル３４に表示させる各種画像（動画や静止画から成る演出画像）が制御される。ここで、１７インチは、１インチ＝２.５４センチメートルであるから、１７×２.５４＝４３.１８センチメートルである。この場合、１７インチワイドは、液晶パネル３４の縦横比が１６(横)：１０(縦)であり、対角線の長さが４３.１８センチメートル以上あれば良い。なお、遊技機２の種類や大きさに応じて液晶パネル３４の縦横比は任意（１７インチワイド以外のサイズ）に設定することが可能である（例えば、横幅を３６.８センチメートル、縦を２３.０センチメートル）。
【００１７】
以上の構成において、装飾パネルは、装飾絵柄が施された装飾シート３０、装飾パネル用導光板２４ａ、装飾パネル用導光板２４ａの両側にそれぞれ配置された装飾パネル用冷陰極管２６ａ、リール表示部Ｐ１,Ｐ２,Ｐ３を構成するための切欠部Ｑ１,Ｑ２,Ｑ３が形成された装飾パネル用反射板２８ａによって構成されている。この場合、装飾パネル用導光板２４ａ、装飾パネル用冷陰極管２６ａ、装飾パネル用反射板２８ａによって装飾画像用面発光装置（照明手段）が構成される。
また、液晶表示装置は、液晶パネル３４、拡散シート３２、液晶表示装置用導光板２４ｂ、液晶表示装置用導光板２４ｂの両側にそれぞれ配置された液晶表示装置用冷陰極管２６ｂ、液晶表示装置用反射板２８ｂによって構成されている。この場合、液晶表示装置用導光板２４ｂ、液晶表示装置用冷陰極管２６ｂ、液晶表示装置用反射板２８ｂによって液晶用面発光装置（照明手段）が構成される。
これら装飾パネル及び液晶表示装置は、遊技機２の前面扉４の前面パネル６を形成し、その前面側（遊技者側）には、装飾パネル及び液晶表示装置を覆うように透明な保護パネル３６が配置されている。保護パネル３６は、透明な合成樹脂で形成されており、液晶パネル３４や装飾シート３０を保護している。なお、装飾パネルや液晶表示装置の前面扉４への組付方法としては、例えば前面扉４の鍵穴２２に開閉鍵（図示しない）を入れて前面扉４を開いた状態で、その前面扉４の裏側から装飾パネルや液晶表示装置を組み付ければ良い。
【００１８】
装飾パネル及び液晶表示装置が前面パネル６として前面扉４に組み付けられた状態において、装飾パネル用冷陰極管２６ａからの光が装飾パネル用導光板２４ａに導入されると、この装飾パネル用導光板２４ａが面状に発光し、装飾絵柄が施された装飾シート３０の全体を照明（装飾パネル用反射板２８ａからの反射照明を含む）する。これにより、装飾絵柄が保護パネル３６を透過して前面パネル６の領域Ｆ２に表示される。
また、液晶表示装置用冷陰極管２６ｂからの光が液晶表示装置用導光板２４ｂに導入されると、この液晶表示装置用導光板２４ｂが面状に発光し、拡散シート３２を介して液晶パネル３４の全体を照明（液晶表示装置用反射板２８ｂからの反射照明を含む）する。これにより、動画や静止画から成る演出画像が保護パネル３６を透過して前面パネル６の領域Ｆ１に表示される。
【００１９】
以上、本実施の形態によれば、画像表示装置を所定角度θだけ傾斜させたことで、遊技中における遊技者の視線を視野角内に収めることができる。この場合、遊技者にとって見易い鮮明な画像を表示画面に常時表示させることが可能となり、その結果、遊技機（例えば、スロットマシン）で実行される遊技の興趣性を向上させることができる。
具体的には、画像表示装置をその視野角内に遊技者の視線が収まるような角度に傾斜させて配設したことにより、遊技中における遊技者の視線を視野角内に収めることができる。つまり、従来のように遊技者が自身の視線を画像表示装置の視野角内に収めるような無理な姿勢をとる必要は無く、遊技者は遊技中において楽な姿勢で自身の視線を画像表示装置の視野角内に常時収めることができる。このため、遊技者にとって見易い鮮明な画像を表示画面に常時表示させることが可能となり、その結果、遊技機（例えば、スロットマシン）で実行される遊技の興趣性を向上させることができる。
また、所定角度だけ傾斜させた画像表示装置を装飾パネルの下部位置に設けたことで、表示画面に表示される画像をリールの識別情報よりも目立たたせることができると同時に、遊技者にとって見易いものとすることができる。つまり、画像表示装置の表示画面のサイズを大きくするためには、画像表示装置を大型化する必要があるが、そうすると、遊技機も大型化（例えば、遊技機の高さを大きく）せざるを得ない。しかし、画像表示装置を傾斜させれば、遊技機の大きさはそのままにして（例えば、高さを変えること無く）画像表示装置（表示画面）のサイズを大きくすることができる。これにより、遊技者にとって見易い迫力のある画像を表示画面に表示させることが可能となる。
また、本実施の形態によれば、複数個のリールＤ１,Ｄ２,Ｄ３の表示領域よりも幅広のワイド画面上に画像を演出することができるため、趣向を凝らした演出に応じて、遊技者の関心を画像に充分に引き付けることができる。この場合、遊技者に対して見易い大画像を表示できるため、従来のように画像を凝視する必要が無くなり、遊技に集中することができる。この結果、遊技機で実行される遊技の興趣性を向上させることが可能となる。
【００２０】
更に、本実施の形態によれば、装飾パネル及び液晶表示装置を分離して、それぞれ別個の照明制御を行うようにしたことによって、装飾画像を含む装飾パネル全体を画像表示装置と同等の明るさで照明することができる。この結果、液晶表示装置に表示された画像と装飾パネルに施された装飾画像との一体感を高めて且つ違和感無く表示させることができ、遊技の演出効果を向上させることが可能となる。この場合、装飾パネル用冷陰極管２６ａ及び液晶表示装置用冷陰極管２６ｂを独立に制御して光量や光強度などを個別に増減変化させるだけで、照明光の明るさを個々に調整することができるため、液晶表示装置に表示される画像と装飾パネルに施された装飾絵柄との間で、色合いや色調、色の濃淡や明るさの度合い等について視覚的な差異を無くすることができる。
【００２１】
また、装飾パネル用導光板２４ａや液晶表示装置用導光板２４ｂにより面状に発光した光を照射することで、液晶表示装置に表示された画像と装飾パネルに施された装飾絵柄との明るさの斑を無くすることができる。
更に、導光板を装飾パネル用導光板２４ａと液晶表示装置用導光板２４ｂとに分割して構成したことにより、例えば装飾絵柄を変更する場合や機種を変更する場合でも、その変更作業が容易になり、作業コストの削減を図ることができる。
【００２２】
次に、本発明の第２の実施の形態に係る遊技機について、図３を参照して説明する。
本実施の形態の遊技機において、照明手段の導光板は、装飾パネル用導光板２４ａと液晶表示装置用導光板２４ｂとに分割されており、光源は、装飾パネル用導光板２４ａから液晶表示装置用導光板２４ｂに亘って延出した単体の液晶表示装置用蛍光管２６から構成されている。そして、この液晶表示装置用蛍光管２６が、装飾パネル用導光板２４ａ及び液晶表示装置用導光板２４ｂの両側にそれぞれ配置されている。
その他の構成は、上記第１の実施の形態と同一であるため、その説明は省略する。なお、第１及び第２の実施の形態において、互いに同一の構成には、同一符号を付してある。
本実施の形態によれば、単体の光源（液晶表示装置用蛍光管２６）を兼用したことにより、部品点数が削減され製造コストの低減を図ることができる。
【００２３】
次に、本発明の第３の実施の形態に係る遊技機について、図４を参照して説明する。
本実施の形態の遊技機において、面発光装置は、液晶パネル３４及び装飾シート３０の全体を面状に照明することができるように構成されている。この場合、導光板２４は、液晶パネル３４及び装飾シート３０の背面に、液晶パネル３４及び装飾シート３０全体に亘って面状に拡がっていると共に、光源は、導光板２４に沿って延出した単体の蛍光管即ち冷陰極管２６から構成され、この冷陰極管２６が導光板２４の両側にそれぞれ配置されている。
また、本実施の形態に適用した反射板２８や拡散シート３２も液晶パネル３４及び装飾シート３０全体に亘って面状に拡がっており、拡散シート３２には、リール表示部Ｐ１,Ｐ２,Ｐ３（図１参照）を構成するための切欠部Ｓ１,Ｓ２,Ｓ３が形成されている。
その他の構成は、上記第１及び第２の実施の形態と同一であるため、その説明は省略する。なお、第１〜第３の実施の形態において、相互に同一の構成には、同一符号を付してある。
本実施の形態によれば、単体の導光板２４、光源（冷陰極管）２６、反射板２８、拡散シート３２を適用したことによって、遊技機２の部品点数を大幅に削減できるため、更に製造コストの低減を図ることができる。
【００２４】
なお、本発明は、上述した第１〜第３の実施の形態に限定されることは無く、以下のように種々変更することができる。
第１〜第３の実施の形態では、それぞれ独立して形成された３つのリール表示部Ｐ１,Ｐ２,Ｐ３を例示したが、例えば３つをまとめて１つにし、横長のリール表示部を構成しても良い。
第１〜第３の実施の形態では、光源（冷陰極管）を導光体の左右両側に配置した例を示したが、例えば光源を導光体の上下両側に配置しても良い。この場合、第１の実施の形態において、装飾パネル用蛍光管２６ａを装飾パネル用導光板２４ａの上側に配置し、液晶表示装置用蛍光管２６ｂを液晶表示装置用導光板２４ｂの下側に配置すれば良い。
【産業上の利用可能性】
【００２５】
本発明は、パチスロをはじめとする遊技機だけで無く、液晶表示装置と装飾パネルとを組み合わせて成るような各種機器（例えばパチンコなど）にも利用可能である。
【図面の簡単な説明】
【００２６】
【図１】本発明の第１の実施の形態に係る遊技機の正面図。
【図２】図１の遊技機に設けられた液晶表示装置と装飾パネルの分解斜視図。
【図３】本発明の第２の実施の形態に係る遊技機に設けられた液晶表示装置と装飾パネルの分解斜視図。
【図４】本発明の第３の実施の形態に係る遊技機に設けられた液晶表示装置と装飾パネルの分解斜視図。
【符号の説明】
【００２７】
６  前面パネル
Ｄ１,Ｄ２,Ｄ３  リール
Ｆ１  画像表示装置が配置される領域
Ｆ２  装飾パネルが配置される領域
Ｐ１,Ｐ２,Ｐ３  リール表示部（表示領域）
Ｍ  装飾部
２４ａ  装飾パネル用導光板
２４ｂ  液晶表示装置用導光板
２６ａ  装飾パネル用蛍光管（冷陰極管）
２６ｂ  液晶表示装置用蛍光管（冷陰極管）
【図１】
2005046375.tif 000003
【図２】
2005046375.tif 000004
【図３】
2005046375.tif 000005
【図４】
2005046375.tif 000006